(57)【要約】【課題】  コンピュータからの騒音の漏れを効果的に防止することのできる静音コンピュータ構造を提供すること。【解決手段】  ＣＰＵ部６と電源回路部１５およびドライブ部９，１０を内蔵した筐体部４の内側の略全域に吸音材１８を付設すると共に、ドライブ部９，１０を筐体部４の吸音材１８と独立した吸音材１７によって個別に被覆する。騒音発生源となる個々のドライブ９，１０を独立した吸音材によって個別に被覆するため、ドライブ毎の騒音の特性等に応じた騒音対策を施すことができる。更に、それでも静粛性が不十分な場合には、筐体部４を内壁４ａと外壁４ｂから成る二重構造とし、内壁４ａと外壁４ｂとの間に消音材１９を充填する。【選択図】図６
2007065901.tif 000002
【特許請求の範囲】
【請求項１】
ＣＰＵと電源回路とドライブを内蔵した筐体の内側の略全域に吸音材を付設すると共に、前記ドライブを前記吸音材と独立した吸音材によって個別に被覆したことを特徴とする静音コンピュータ構造。
【請求項２】
前記筐体の内側に付設される吸音材が、筐体内部に突出する突壁を縦横に併設した不燃性絶縁物によって構成されていることを特徴とする請求項１記載の静音コンピュータ構造。
【請求項３】
前記筐体が内壁と外壁から成る二重構造を備え、前記内壁と前記外壁との間に消音材が充填されていることを特徴とする請求項１または請求項２記載の静音コンピュータ構造。
【請求項４】
前記ドライブを被覆する吸音材が、衝撃吸収機能を備えた不燃性絶縁物によって構成されていることを特徴とする請求項１，請求項２または請求項３記載の静音コンピュータ構造。
【請求項５】
前記筐体の内部に消音マフラーを設置し、前記ＣＰＵの冷却ファンからの排気と前記電源回路の冷却ファンからの排気を前記消音マフラーを介して前記筐体の外部に排出することを特徴とする請求項１，請求項２，請求項３または請求項４記載の静音コンピュータ構造。
【請求項６】
前記消音マフラーが、多数の孔を穿孔された管状体からなるインナーチューブと、前記インナーチューブを包囲する消音材と、前記消音材を包囲するアウターチューブとによって構成されていることを特徴とする請求項５記載の静音コンピュータ構造。
【発明の詳細な説明】
【技術分野】
【０００１】
本発明は、映画や音楽鑑賞等に好適な静音コンピュータ構造に関する。
【背景技術】
【０００２】
従来、コンピュータとテレビ，ＤＶＤプレイヤー，ＣＤプレイヤーは別の商品として販売されて来たが、ＬＣＤの大画面化やＣＰＵおよび表示制御回路の高性能化、更には、インターネットや無線ＬＡＮ等の通信スピードの高速化等により、パーソナルコンピュータ等を始めとする一般的なコンピュータでも高画質・高音質の再生が可能となり、最近では、パーソナルコンピュータ１台で各種のＡＶ機器の機能が実現できるようになっている。
【０００３】
しかしながら、最近の水冷式パーソナルコンピュータ等の静音タイプにおいても、市場にある静音タイプのパーソナルコンピュータにおいても、ファンやハードディスクドライブそれ自体の騒音を小さくする改善には取り組んでいるが、発生する騒音をシャットアウトする発想はなく、映画や音楽鑑賞時にパーソナルコンピュータからの騒音が気になる等の申告が多く問題となっている。
【０００４】
パーソナルコンピュータからの音漏れを防止する技術としては、例えば、特許文献１に開示されるようなコンピュータディスプレイ装置や特許文献２に開示されるような筐体構造が既に提案されている。
【０００５】
特許文献１に開示されたコンピュータディスプレイ装置は、ディスプレイ支持ボックス内に吸音板を千鳥足状に配置して排気ダクトとして利用することによってパーソナルコンピュータの静音化を図ったものであるが、筐体側のドライブベイに実装されるハードディスクドライブ等からの騒音を軽減することはできず、また、吸音板を千鳥足状に配置する関係上、排気ダクトを大型化する必要があり、この排気ダクトを形成するためのディスプレイ支持ボックスを備えた特殊な構造でないと適用できない。
【０００６】
また、特許文献２に開示された筐体構造は、共鳴型吸音材を筐体の内側もしくはハードディスクドライブ等の騒音発生源の周辺に配備して騒音を軽減するものであるが、特定の共鳴周波数に対処するものであるため、筐体内に周波数の異なる複数の騒音発生源が混在するような場合においては、必ずしも、十分な騒音軽減効果を期待することはできない。
【０００７】
【特許文献１】特開平９−２３０９６０号公報
【特許文献２】特開平１１−１６１２８１号公報
【発明の開示】
【発明が解決しようとする課題】
【０００８】
そこで、本発明の課題は、前記従来技術の不都合を改善し、特性の異なる複数の騒音発生源が筐体内に混在するような場合であっても、コンピュータからの騒音の漏れを効果的に防止することのできる静音コンピュータ構造を提供することにある。
【課題を解決するための手段】
【０００９】
本発明の静音コンピュータ構造は、前記課題を達成するため、ＣＰＵと電源回路とドライブを内蔵した筐体の内側の略全域に吸音材を付設すると共に、前記ドライブを前記吸音材と独立した吸音材によって個別に被覆したことを特徴とする構成を有する。
【００１０】
筐体の内側の略全域に亘る吸音材の付設によって筐体からの騒音の漏れを防止し、更に、騒音発生源となる個々のドライブを独立した吸音材で個別に被覆することによって音漏れ対策を二重化したので、コンピュータからの騒音の漏れを効果的に防止できるようになった。
また、騒音発生源となる個々のドライブを独立した吸音材によって個別に被覆するため、ドライブ毎の騒音の特性等に応じた騒音対策を施すことが可能となった。
【００１１】
筐体の内側に付設される吸音材は、筐体内部に突出する突壁を縦横に併設した不燃性絶縁物によって構成されていることが望ましい。
【００１２】
筐体内部に突出する突壁を縦横に併設した無響音室状の設計を施すことで、ドライブを被覆した吸音材からの音漏れを効果的に減衰させ、外部への騒音の漏れを防止することができる。
突壁を縦横に併設した不燃性絶縁物としては、ウレタン，ゴム，ガラス，シリコン等の素材が好適である。
【００１３】
更に、前記筐体を内壁と外壁から成る二重構造とし、内壁と外壁との間に消音材を充填するようにしてもよい。
【００１４】
全体として、三重の音漏れ対策が施されることになるので、コンピュータからの騒音の漏れを更に確実に解消することができる。消音材としては、グラスウール等の素材が好適である。
【００１５】
また、ドライブを被覆する吸音材としては、衝撃吸収機能を備えた不燃性絶縁物を利用することが望ましい。
【００１６】
筐体からドライブに伝わる衝撃や振動を吸音材によって減衰させることができるので、ドライブの耐久性が向上する。この場合の吸音材としては、ウレタン，ゴム，シリコン等の素材が好適である。
【００１７】
更に、前記筐体の内部に消音マフラーを設置し、ＣＰＵの冷却ファンからの排気と電源回路の冷却ファンからの排気を消音マフラーを介して筐体の外部に排出するとよい。
【００１８】
ファンからの排気を消音マフラーを介して外部に排出することでファンの回転で生じるモータの騒音や風切り音が外部に伝わるのを防止することができる。
ＣＰＵや電源回路等の熱源を冷却して加熱された空気を外部に排出する必要上、空冷式のコンピュータにおいては、この空気を外部に送出するための開口部を必然的に筐体に形成しなければならず、当該開口部から外部にドライブの騒音等が漏れる可能性があるが、消音マフラーを介して筐体内部の空間と外部の空間とを接続することで、ドライブの騒音等も消音マフラーで減衰させることが可能となり、外部への音漏れを、より確実に防止することができる。
【００１９】
この消音マフラーは、例えば、多数の孔を穿孔された管状体からなるインナーチューブと、インナーチューブを包囲する消音材と、消音材を包囲するアウターチューブとによって構成することができる。
【００２０】
消音材としては、グラスウール等の素材が好適である。
【発明の効果】
【００２１】
本発明の静音コンピュータ構造は、筐体の内側の略全域に亘る吸音材の付設によって筐体からの騒音の漏れを防止し、更に、騒音発生源となる個々のドライブを独立した吸音材で個別に被覆することによって音漏れ対策を二重化したので、コンピュータからの騒音の漏れを効果的に防止することができる。
また、騒音発生源となる個々のドライブを独立した吸音材によって個別に被覆するため、ドライブ毎の騒音の特性等に応じた騒音対策を施すことができる。
【発明を実施するための最良の形態】
【００２２】
図１は本発明の静音コンピュータ構造を適用した一実施形態のパーソナルコンピュータの構成の概略について示したブロック図である。
【００２３】
このパーソナルコンピュータ１は、図１に示される通り、パソコン制御部２と、消音マフラー部３と、これらを内蔵した筐体部４によって構成される。
【００２４】
図２はパソコン制御部２のハードウェア構成の概略を示したブロック図である。パソコン制御部２は、図２に示す通り、マザーボード部５，ＣＰＵ部６，メモリー部７，電源部８，ハードディスクドライブ部９，オプティカルディスクドライブ部１０，ＣＰＵファン部１１，キーボード部１２およびマウス部１３によって構成される。
【００２５】
マザーボード部５には、ＣＰＵ部６，メモリー部７，電源部８，ハードディスクドライブ部９，オプティカルディスクドライブ部１０，ＣＰＵファン部１１，キーボード部１２およびマウス部１３が接続され、これらの要素がマザーボード部５によって制御される。
【００２６】
図３（ａ）はパソコン制御部２の構成を省略してＣＰＵ部６の周辺構造について示した機能ブロック図、また、図３（ｂ）は其の実際的な構造について示した概念図である。
【００２７】
ＣＰＵ部６には、図３（ｂ）に示す通り、ヒートシンク１４が取り付けられており、ヒートシンク１４には、ヒートシンク１４から放熱された熱を吸収した空気を外部に放出するための冷却ファンを備えたＣＰＵファン部１１が装着されている。
【００２８】
電源部８は図４に示す通りユニット化されたもので、電源回路部１５と電源ファン部１６で構成されている。電源ファン部１６は、電源回路部１５から放熱された熱を吸収した空気を外部に放出するための冷却ファンを備える。
【００２９】
また、ハードディスクドライブ部９およびオプティカルディスクドライブ部１０には、図５に示す通り、ウレタン，ゴム，シリコン等の衝撃吸収機能を備えた不燃性絶縁物からなる吸音材１７を全体的に被覆して耐衝撃性と消音性を改善させるようにしている。吸音材１７としては、ドライブ毎の騒音の特性や耐衝撃性等を考慮し、各ドライブ毎に最適な素材を選択して被覆するものとする。
【００３０】
図６（ａ）は筐体部４の構成例について簡略化して示した概念図、図６（ｂ）は筐体部４の内側における吸音材１８の付設状態を示した模式図、また、図６（ｃ）は筐体部４の内側に付設された吸音材１８の具体的な形状の一例を示した斜視図である。
【００３１】
筐体部４は図６（ａ）に示す通り一体化した金属ケースによって構成され、内側部分の略全域に亘って吸音材１８が付設されている。吸音材１８は、図６（ｃ）に示されるように、筐体部４内に向けて突出する突壁１８ａを併設したウレタン，ゴム，ガラス，シリコン等の不燃性絶縁物によって構成され、図６（ｂ）に示されるように、突壁１８ａが筐体部４内で互い違いに縦横の向きとなるようにして筐体部４の内側に取り付けられている。突壁１８ａの形状は、筐体部４の内部が無響音室として機能するように、例えば、図６（ｃ）に示されるような楔型の断面形状に設計することが望ましい。また、筐体部４に組み込まれるハードディスクドライブ部９，オプティカルディスクドライブ部１０，ＣＰＵファン部１１，電源ファン部１６における騒音源の位置が明らかな場合には、騒音源からの距離に応じて吸音材１８の厚みを調整する。
【００３２】
更に、筐体部４の内側部分の略全域に亘って吸音材１８を付設するだけでは消音効果が不十分な場合には、図６（ｄ）に示されるように、筐体部４を内壁４ａと外壁４ｂから成る二重構造とし、内壁４ａと外壁４ｂとの間にグラスウール等からなる消音材１９を充填するようにする。各ドライブ毎の吸音材１７と筐体部４の内側の吸音材１８に内壁４ａと外壁４ｂの間の消音材１９を加え、全体として三重の音漏れ対策が施されることになるので、パーソナルコンピュータ１からの騒音の漏れを更に確実に解消することができる。
【００３３】
図７（ａ）は消音マフラー部３の周辺構造について示した機能ブロック図、また、図７（ｂ）は消音マフラー部３の実際的な構造について示した概念図である。
【００３４】
消音マフラー部３は、図７（ａ）に示す通りインナーチューブ部２０とアウターチューブ部２１と吸音部２２とによって構成される。インナーチューブ部２０は多数の孔を穿孔された金属製の管状体であり、ＣＰＵファン部１１と電源ファン部１６からの空気の通り道になっている。吸音部２２はインナーチューブ部２０を包囲して巻回されたグラスウール等の消音材によって構成され、更に、その外側を包囲してアウターチューブ部２１が取り付けられている。
【００３５】
次に、図面を参照して本実施形態の動作を詳細に説明する。但し、図２のパソコン制御部２の動作については、本発明とは直接の関係はないので説明を割愛し、関係する部分についてのみ詳細に説明する。
【００３６】
まず、パーソナルコンピュータ１が起動すると、図２のパソコン制御部２におけるＣＰＵ部６のヒートシンク１４に取り付けられたＣＰＵファン部１１（図３参照）と、電源部８を冷却する電源ファン部１６のファン（図４参照）が回転し、図５のハードディスクドライブ部９が動作を開始する。
【００３７】
ＣＰＵ部６の動作と共にＣＰＵファン部１１のファンが回転すると、吐き出された空気が、図７（ｂ）の消音マフラー部３のインナーチューブ部２０を通過する。
【００３８】
同様に、電源部８の電源回路部１５が動作して電源ファン部１６のファンが回転すると、吐き出された空気が、図７（ｂ）の消音マフラー部３のインナーチューブ部２０を通過する。
【００３９】
ＣＰＵ部６および電源部８のファンから送出される空気はファンの風切り音やモータの回転による騒音を含んでいるが、インナーチューブ部２０を通過中に吸音部２２でファンやモータの騒音を吸収するため、インナーチューブ部２０の噴出口からのファンの音量は軽減される。また、アウターチューブ部２１は、インナーチューブ部２０と吸音部２２を覆うパイプ状のもので、消音マフラー部３からの音漏れを防止する。
【００４０】
次に、図５のハードディスクドライブ部９が動作を開始すると、ハードディスクドライブ部９を駆動するモータ、つまり、ディスク回転用のモータやアーム駆動用のボイスコイルモータからアクセス音が発生する。
【００４１】
現行の商品はウレタン，ゴム，シリコン等の不燃性絶縁物を筐体部４とハードディスクドライブ部９の間に貼り付けて衝撃を吸収しているが、本実施形態では、消音が目的のため、不燃性絶縁物からなる吸音材１７をハードディスクドライブ部９に全体的に巻き付けて消音を改善するようにしている。
【００４２】
同様に、ＣＤ，ＤＶＤ等の使用に際してオプティカルディスクドライブ部１０が動作を開始すると、ディスク回転用のモータやトレースヘッドの駆動モータからアクセス音が発生する。これも、ハードディスクドライブ部９の場合と同様、不燃性絶縁物からなる吸音材１７を巻き付けることで消音を改善するようにしている。
【００４３】
筐体部４は図６（ａ）に示されるように一体化した金属ケースであり、その内側部分の略全域に亘って付設された突壁１８ａ付きの吸音材１８により、図２のパソコン制御部２から発生した騒音、特に、ＣＰＵファン部１１や電源ファン部１６のファンを駆動するモータの騒音や風切り音、さらには、ハードディスクドライブ部９やオプティカルディスクドライブ部１０等を被覆した吸音材１７で消音しきれなかった騒音を確実に吸収する。
【００４４】
前述した通り、筐体４の内側部分全体に突壁１８ａ付きの吸音材１８を付設しても効果が不十分な場合には、筐体部４を内壁４ａと外壁４ｂから成る二重構造とし、内壁４ａと外壁４ｂとの間にグラスウール等からなる消音材１９を充填するようにする。
【００４５】
このように、それ自体が独立的に吸音材１７によって防音処理されたハードディスクドライブ部９やオプティカルディスクドライブ部１０と、消音マフラー部３に接続されてＣＰＵファン部１１や電源ファン部１６のファンを駆動するモータの騒音や風切り音を軽減されたＣＰＵ部６および電源部８が、防音機能を備えた筐体部４の中にマザーボード部５と共に組み込まれることになるので、これらの騒音源から発生する音を徹底して排除して外部に漏らさないようにすることができる。
【００４６】
以上に述べた通り、この実施形態によれば、ハードディスクドライブ部９やオプティカルディスクドライブ部１０およびＣＰＵファン部１１や電源ファン部１６のファン等からの騒音が筐体部４から外部に漏れることを吸音材１７，１８および消音材１９や消音マフラー部３によって確実に防止することができるので、ハードディスクドライブ部９やオプティカルディスクドライブ部１０およびＣＰＵファン部１１や電源ファン部１６のファンそれ自体の静粛性は必ずしも重要ではない。
【００４７】
従って、結果的に、ドライブやファン等からの騒音の発生を無視したパーソナルコンピュータ１の設計が可能であり、また、ドライブやファン等の静粛性に拘ることなく、価格や品質の安定したキーパーツ（ドライブやファン等）を適宜に選択して採用することができ、キーパーツのアップグレードや増設に際しても騒音の問題が無視できる。
【００４８】
また、筐体部４から不用意に音漏れが生じることはないので、ＤＶＤやＣＤ等を利用した映画や音楽鑑賞等に適し、快適なＡＶライフを提供することができる。更には、その静粛性のため、レコーディング室等で業務目的に使用することも可能である。
【産業上の利用可能性】
【００４９】
遮音性に優れた筐体部の構造は、パーソナルコンピュータの他、例えば、プロジェクターやＤＶＤ専用機等の装置にも転用が可能である。
【図面の簡単な説明】
【００５０】
【図１】本発明の静音コンピュータ構造を適用した一実施形態のパーソナルコンピュータの構成の概略について示したブロック図である。
【図２】同実施形態のパーソナルコンピュータにおけるパソコン制御部のハードウェア構成の概略を示したブロック図である。
【図３】図３（ａ）はＣＰＵ部の周辺構造について示した機能ブロック図、また、図３（ｂ）は其の実際的な構造について示した概念図である。
【図４】電源部の周辺構造について示した機能ブロック図である。
【図５】ハードディスクドライブ部およびオプティカルディスクドライブ部の周辺構造について示した機能ブロック図である。
【図６】図６（ａ）は筐体部の構成例について簡略化して示した概念図、図６（ｂ）は筐体部の内側における吸音材の付設状態を示した模式図、図６（ｃ）は筐体部の内側に付設された吸音材の具体的な形状の一例を示した斜視図、図６（ｄ）は筐体部を二重構造とした場合の構成例について簡略化して示した概念図である。
【図７】図７（ａ）は消音マフラー部の周辺構造について示した機能ブロック図、また、図７（ｂ）は消音マフラー部の実際的な構造について示した概念図である。
【符号の説明】
【００５１】
１  パーソナルコンピュータ
２  パソコン制御部
３  消音マフラー部
４  筐体部
５  マザーボード部
６  ＣＰＵ部
７  メモリー部
８  電源部
９  ハードディスクドライブ部
１０  オプティカルディスクドライブ部
１１  ＣＰＵファン部
１２  キーボード部
１３  マウス部
１４  ヒートシンク
１５  電源回路部
１６  電源ファン部
１７  吸音材（ウレタン，ゴム，シリコン等）
１８  吸音材（ウレタン，ゴム，ガラス，シリコン等）
１８ａ  突壁
１９  消音材
２０  インナーチューブ部
２１  アウターチューブ部
２２  吸音部
【図１】
2007065901.tif 000003
【図２】
2007065901.tif 000004
【図３】
2007065901.tif 000005
【図４】
2007065901.tif 000006
【図５】
2007065901.tif 000007
【図６】
2007065901.tif 000008
【図７】
2007065901.tif 000009